(57)【特許請求の範囲】
【請求項１】
商品の商品情報を表示する平面状の資材本体を有し、
この商品の取付け部に取付けることができるようにする取付け用開口部により、この商品に取付けられる商品情報表示用取付け資材であって、
前記資材本体には、
前記取付け用開口部を開口形成可能な開口部用切り目と、
この開口部用切り目の両端に連続して延びて連続開口部を開口形成可能な一対の連続支持領域用切り目と、を形成するとともに、
前記開口部用切り目により前記取付け用開口部の内方部に画成される表示用自由揺動領域と、
前記連続支持領域用切り目により前記連続開口部の内方部に画成される連続支持領域と、
この連続支持領域を前記資材本体に一体的に接続可能な接続部と、を有し、
前記一対の連続支持領域用切り目それぞれの少なくとも一箇所に、該連続支持領域と資材本体とをつなぐ連結点を形成し、
前記資材本体とともに前記表示用自由揺動領域の両面および連続支持領域の両面にも商品情報を印字して表示可能としていることを特徴とする商品情報表示用取付け資材。
【請求項２】
当該商品情報表示用取付け資材を前記商品の前記取付け部に取付けたときに、前記表示用自由揺動領域が前記連続支持領域により前記商品に対して離反して揺動可能な状態にこれを位置させることが可能であることを特徴とする請求項１記載の商品情報表示用取付け資材。
【請求項３】
当該商品情報表示用取付け資材を単葉の資材片として複数枚連続して帯状に形成していることを特徴とする請求項１または２記載の商品情報表示用取付け資材。
【請求項４】
連続支持領域と資材本体とをつなぐ連結点が、前記資材本体の折り曲げ可能な箇所に位置することを特徴とする請求項１乃至３のいずれかに記載の商品情報表示用取付け資材。
【請求項５】
商品の商品情報を表示する平面状の資材本体を有し、
この商品の取付け部に取付けることができるようにする取付け用開口部により、この商品に取付けられる商品情報表示用取付け資材の使用方法であって、
前記資材本体には、
前記取付け用開口部を開口形成可能な開口部用切り目と、
この開口部用切り目の両端に連続して延びて連続開口部を開口形成可能な一対の連続支持領域用切り目と、を形成するとともに、
前記開口部用切り目により前記取付け用開口部の内方部に画成される表示用自由揺動領域と、
前記連続支持領域用切り目により前記連続開口部の内方部に画成される連続支持領域と、
この連続支持領域を前記資材本体に一体的に接続可能な接続部と、を有し、
前記一対の連続支持領域用切り目それぞれの少なくとも一箇所に、該連続支持領域と資材本体とをつなぐ連結点を形成した商品情報表示用取付け資材を、
表示用自由揺動領域と、連続支持領域のうち表示用自由揺動領域から連結点までを連結点を支点として資材本体から引き起こし、
資材本体に形成された取付け用開口部を前記商品の前記取付け部に取付け、
表示用自由揺動領域が連続支持領域に支持されて上方に指向した第１の表示状態にする操作と、
連続支持領域と資材本体とをつなぐ連結点を切り離し、表示用自由揺動領域および連続支持領域を接続部を支点として曲げ、連続支持領域を介して表示用自由揺動領域を前記商品から離れて揺動可能に支持し、第１の表示状態に対し、表示用自由揺動領域の反対面を視認可能にした第２の表示状態にする操作と、
を含むことを特徴とする商品情報表示用取付け資材の使用方法。
【発明の詳細な説明】
【技術分野】
【０００１】
本発明は商品情報表示用取付け資材およびその使用方法にかかるもので、とくに商品の販促情報を含む商品情報の表示用として商品に取付けられる商品情報表示用取付け資材およびその使用方法に関するものである。
【背景技術】
【０００２】
従来から、各種商品の販売促進用として、販促情報を表示した、いわゆるキャンペーンシール、ポップラベルやシールその他の資材が工夫されており、店頭の陳列商品に取付けられている。これらの資材は、販促情報に限らず、商品の取扱いや処理に関する各種の情報を表示するために用いられる場合もある。
このような販促情報を含む商品情報の表示用として商品に取付けられる商品情報表示用取付け資材について、図８〜図１０にもとづき概説する。
【０００３】
図８は、通称「アイキャッチシール」と呼ばれる販促用シール１（商品情報表示用取付け資材）を商品Ｍに取付けた状態を示す斜視図であって、販促用シール１は、裏面側に糊面を有する細長矩形状の貼付け領域２と、貼付け領域２に連続して販促情報を表示する円形ないし楕円形状の情報表示領域３と、を有する。情報表示領域３には、その裏面側に糊面を形成しないか、糊面上にフィルムを貼る処理あるいは糊面を不活性化する処理などを施している。
【０００４】
こうした構成の販促用シール１は、貼付け領域２を商品Ｍの所定部分（たとえば図示の例では商品Ｍの胴体Ｍ１）に貼り付けることにより情報表示領域３を商品Ｍの首部Ｍ２から離した状態で起立位置可能とし、商品Ｍの陳列について視認性および訴求効果を期待している。しかしながら、情報表示領域３が商品Ｍに近く位置しているとともに、このような構成がやや定番化ないしは陳腐化しているためにその販促効果が低下しているという問題がある。貼付け領域２の部分からはがれ落ちやすいという問題がある。
【０００５】
図９は、通常「スイングポップシール」と呼ばれる販促用シール４（商品情報表示用取付け資材）を商品Ｍに取付けた状態を示す斜視図であって、販促用シール４は、裏面側に糊面を有するたとえば円形状の貼付け領域５と、貼付け領域５に連続して延びる細長状の連続支持領域６と、連続支持領域６の先端部に形成した、たとえば円形状の情報表示領域７と、を有する。
【０００６】
こうした構成の販促用シール４は、貼付け領域５を商品Ｍの首部Ｍ２の頂部に貼り付け、連続支持領域６が情報表示領域７を商品Ｍの胴体Ｍ１の側面に離反した状態で位置させ、情報表示領域７が商品Ｍのわきに垂れて揺れることにより、商品Ｍの陳列の視認性および訴求効果を期待している。しかし、貼付け領域５を貼付ける首部Ｍ２の頂部は比較的狭く、この頂部に貼り付ける作業がかなり面倒であるとともに、貼付け領域５の部分からはがれ落ちやすいという問題、さらに情報表示領域７において表示可能な情報量が少ないなどの問題がある。
【０００７】
図１０は、通称「首掛けラベル」あるいは「ボトルネッカー」などと呼ばれる販促用シール８（商品情報表示用取付け資材）を商品Ｍに取付けた状態を示す斜視図であって、販促用シール８は、商品Ｍの首部Ｍ２より若干大きくくり貫いた円形状の首掛け用開口部９を形成し、首掛け用開口部９以外の領域である情報表示領域１０に販促情報を表示可能としている。
【０００８】
こうした構成の販促用シール８は、首掛け用開口部９を首部Ｍ２にかけるとともに情報表示領域１０により商品Ｍの販促情報を表示している。しかし、販促用シール８は、上述の販促用シール１（図８）や販促用シール４（図９）に比較して情報量をより多く表示することができるものの、販売促進用としての視認性および訴求効果の点でやや劣る。
【０００９】
さらに、いずれの販促用シール１（図８）、販促用シール４（図９）および販促用シール８（図１０）などは、シールの資材材料から不要な部分を取り去って製造しており、取り去った資材材料がロスになり、廃棄物になってしまう。また、それぞれの情報表示領域３、７、１０には、決まっている固定情報を予め別途に印刷しておくものであり、商品Ｍの販売および陳列現場に即して必要に応じた情報を追加することが困難であり融通性に欠ける。即ち、電子プリンタ等で、商品や文字やバーコードなどを印字できない不便さがある。
【先行技術文献】
【特許文献】
【００１０】
【特許文献１】特開平１０−３９７５６号公報
【発明の概要】
【発明が解決しようとする課題】
【００１１】
本発明は以上のような諸問題にかんがみなされたもので、より視認性および訴求効果が高い商品情報表示用取付け資材およびその使用方法を提供することを課題とする。
【００１２】
本発明は、商品に取付けた後にも形状の変更が可能な商品情報表示用取付け資材およびその使用方法を提供することを課題とする。
【００１３】
本発明は、商品に取付けた後にも表示する情報の切り替えや変更が可能な商品情報表示用取付け資材およびその使用方法を提供することを課題とする。
【００１４】
本発明は、製造にあたって無駄になる部分がなく、省資源の観点からも優れた商品情報表示用取付け資材およびその使用方法を提供することを課題とする。
【００１５】
本発明は、複数の資材片を連続して帯状の連続体とすることが可能で、任意のプリンタに装填して、現場のニーズに応じてその都度任意の商品情報（可変情報）を印字して表示可能な商品情報表示用取付け資材およびその使用方法を提供することを課題とする。
【課題を解決するための手段】
【００１６】
本発明の第一の発明は、商品の商品情報を表示する平面状の資材本体を有し、この商品の取付け部に取付けることができるようにする取付け用開口部により、この商品に取付けられる商品情報表示用取付け資材であって、前記資材本体には、前記取付け用開口部を開口形成可能な開口部用切り目と、この開口部用切り目の両端に連続して延びて連続開口部を開口形成可能な一対の連続支持領域用切り目と、を形成するとともに、前記開口部用切り目により前記取付け用開口部の内方部に画成される表示用自由揺動領域と、前記連続支持領域用切り目により前記連続開口部の内方部に画成される連続支持領域と、この連続支持領域を前記資材本体に一体的に接続可能な接続部と、を有し、前記一対の連続支持領域用切り目それぞれの少なくとも一箇所に、該連続支持領域と資材本体とをつなぐ連結点を形成し、前記資材本体とともに前記表示用自由揺動領域の両面および連続支持領域の両面にも商品情報を印字して表示可能としていることを特徴とする商品情報表示用取付け資材である。
第二の発明は、商品の商品情報を表示する平面状の資材本体を有し、この商品の取付け部に取付けることができるようにする取付け用開口部により、この商品に取付けられる商品情報表示用取付け資材の使用方法である。前記資材本体には、前記取付け用開口部を開口形成可能な開口部用切り目と、この開口部用切り目の両端に連続して延びて連続開口部を開口形成可能な一対の連続支持領域用切り目と、を形成するとともに、前記開口部用切り目により前記取付け用開口部の内方部に画成される表示用自由揺動領域と、前記連続支持領域用切り目により前記連続開口部の内方部に画成される連続支持領域と、この連続支持領域を前記資材本体に一体的に接続可能な接続部と、を有し、前記一対の連続支持領域用切り目それぞれの少なくとも一箇所に、該連続支持領域と資材本体とをつなぐ連結点を形成した商品情報表示用取付け資材を、表示用自由揺動領域と、連続支持領域のうち表示用自由揺動領域から連結点までを連結点を支点として資材本体から引き起こし、資材本体に形成された取付け用開口部を前記商品の前記取付け部に取付け、表示用自由揺動領域が連続支持領域に支持されて上方に指向した第１の表示状態にする操作と、連続支持領域と資材本体とをつなぐ連結点を切り離し、表示用自由揺動領域および連続支持領域を接続部を支点として曲げ、連続支持領域を介して表示用自由揺動領域を前記商品から離れて揺動可能に支持し、第１の表示状態に対し、表示用自由揺動領域の反対面を視認可能にした第２の表示状態にする操作と、を含むことを特徴とする商品情報表示用取付け資材の使用方法である。
商品情報表示用取付け資材は、資材本体とともに前記表示用自由揺動領域の両面および連続支持領域の両面にも商品情報を表示可能にしておく。
資材本体は、これを折り曲げ可能としておく。
接続部は、前記一対の連続支持領域用切り目の終端同士の間に位置させることが望ましい。
商品情報表示用取付け資材を前記商品の前記取付け部に取付けたときに、前記表示用自由揺動領域が前記連続支持領域により前記商品に対して離反して揺動可能な状態にこれを位置させることが可能である。
商品情報表示用取付け資材を単葉の資材片として複数枚連続して帯状に形成することが望ましい。
連続支持領域と資材本体とをつなぐ連結点が、前記資材本体の折り曲げ可能な箇所に位置させると好適である。
【発明の効果】
【００１７】
本発明の商品情報表示用取付け資材およびその使用方法によれば、資材本体に、取付け用開口部による表示用自由揺動領域と、連続開口部による連続支持領域と、この連続支持領域を資材本体に一体的に接続する接続部を形成するようにしたので、製造にあたって資材本体のどの部分（領域）も無駄になることがなく省資源を達成可能である。
複数の資材片を連続して帯状の連続体とすることが可能なため、任意のプリンタに装填して、現場のニーズに応じてその都度任意の商品情報（可変情報）を印字して表示し、使用可能である。
商品に取付けた後には、形状の変更と表示する情報の切り替えが可能である。一つの商品情報表示用取付け資材でありながら、形状や情報を切り替えることで、複数の情報を記録した商品情報表示用取付け資材を用意して取り替えたことと同様な視覚的効果を得ることができる。
特に、商品情報表示用取付け資材の使用方法によれば、表示用自由揺動領域と連続支持領域のうち表示用自由揺動領域から連結点までの部分を起立させて首にかけると資材本体の表面の情報が表示される。連結点を破って切り離し、表示用自由揺動領域および連続支持領域の全体を引き起こすと、それらが接続部を支点として垂れ下がり、形状が変わると共に資材本体の裏面の情報が表示され、表示内容を切り替えることができる。
即ち、表示用自由揺動領域の両面に情報を表示してあるため、第１の表示状態としては表示用自由揺動領域の表面を表示し、任意の時間を経過した後には第２の表示状態として表示用自由揺動領域の裏面が見えるように表示可能である。単一の商品情報表示用取付け資材でありながら、表示する情報を任意のタイミングで切り替えることができるという効果が得られる。さらに、第２の表示状態では、表示用自由揺動領域が商品から離れた位置で揺動可能であるとともに、この表示用自由揺動領域と連続支持領域にも商品情報を表示可能であるため、高い視認性と訴求効果を発揮することができる。
【図面の簡単な説明】
【００１８】
【図１】本発明の第１の実施例による商品情報表示用取付け資材としての、商品Ｍの販促用首掛けシール２０を説明するものであって、図１（１）は、販促用首掛けシール２０の平面図、図１（２）は、表示用自由揺動領域２４および連続支持領域２７全体を資材本体２１から引き起こした状態の斜視図である。
【図２】同、販促用首掛けシール２０の表示用自由揺動領域２４と連続支持領域２７の連結点３５までを引き起こし、商品Ｍの取付け部（首部Ｍ２）に取付けた第１の表示状態を示す斜視図である。
【図３】同、販促用首掛けシール２０の表示用自由揺動領域２４および連続支持領域２７全体を引き起こし、商品Ｍの取付け部（首部Ｍ２）に取付けた第２の表示状態を示す斜視図である。
【図４】本発明の第２の実施例による販促用首掛けシール４０（商品情報表示用取付け資材）の平面図である。
【図５】同、熱転写プリンタ４５の概略側面図である。
【図６】本発明の第３の実施例による販促用首掛けシール６０（商品情報表示用取付け資材）の平面図である。
【図７】販促用首掛けシール２０の表示用自由揺動領域２４だけを連結点３６までを引き起こし、商品Ｍの取付け部（首部Ｍ２）に取付けた別の表示状態を示す斜視図である。
【図８】通称「アイキャッチシール」と呼ばれる販促用シール１（商品情報表示用取付け資材）を商品Ｍに取付けた状態を示す斜視図である。
【図９】通称「スイングポップシール」と呼ばれる販促用シール４（商品情報表示用取付け資材）を商品Ｍに取付けた状態を示す斜視図である。
【図１０】通称「首掛けラベル」あるいは「ボトルネッカー」などを呼ばれる販促用シール８（商品情報表示用取付け資材）を商品Ｍに取付けた状態を示す斜視図である。
【発明を実施するための形態】
【００１９】
本発明は、資材本体に形成する取付け用開口部の内方部に画成される表示用自由揺動領域の表面と裏面両方を情報表示用として活用するとともに、表示面を任意のタイミングで切り替え可能とした。特に切り替え後にはこの領域を揺動可能としてその視認性および訴求効果を向上させた商品情報表示用取付け資材およびその使用方法を実現した。
【実施例】
【００２０】
本発明の商品情報表示用取付け資材およびその使用方法を図１および図２にもとづき説明する。ただし、図８〜図１０と同様の部分には同一符号を付し、その詳述はこれを省略する。
【００２１】
図１は、商品情報表示用取付け資材としての、商品Ｍの販促用首掛けシール２０を説明するものであって、図１（１）は、販促用首掛けシール２０の平面図、図１（２）は、表示用自由揺動領域２４および連続支持領域２７全体を資材本体２１から引き起こした状態の斜視図である。
【００２２】
販促用首掛けシール２０は、商品Ｍの商品情報を表示する平面状の資材本体２１を有する。
資材本体２１の材料としては、任意の剛性および印刷適性ないし印字適性を有する一般的な紙材はもちろん、合成紙や合成樹脂、さらにはフィルム系基材を採用可能であって、その裏面２１Ｂ側に糊面を形成する必要はない。
【００２３】
資材本体２１は、円形状の開口部用切り目２２を形成して、たとえば円形状の取付け用開口部２３を開口形成可能とし、この取付け用開口部２３の内方部に円形状の表示用自由揺動領域２４を画成する。
開口部用切り目２２は、その始端２２Ａから終端２２Ｂまでの間に一連に（ないしは一筆書き式に）これを形成しているもので、表示用自由揺動領域２４の形状としては、円形はもちろん、楕円形、四角形、三角形、星形その他の変形状など任意の形状を採用することができる。
【００２４】
資材本体２１の表面２１Ａには任意の商品情報を表示可能である。表示用自由揺動領域２４は、表面２１Ａにも裏面２１Ｂにも商品情報を表示可能としている。
上記取付け用開口部２３を、図２および図３に示すように商品Ｍの取付け部（首部Ｍ２）に掛けることにより、販促用首掛けシール２０を商品Ｍに取付けることができるようにしている。
【００２５】
資材本体２１は、商品Ｍの形状や大きさに応じて任意の数の折曲げ線（たとえば図示の例では、第１の折曲げ線２９および第２の折曲げ線３０）の部分でこれを折り曲げ可能とすることにより、商品Ｍへの取付け安定性および視認性を確保しているとともに、上述のように必要な商品情報を表示可能である。
【００２６】
資材本体２１には、互いの間に所定の間隔をあけた互いに平行な左右一対の直線状の連続支持領域用切り目２５を形成して細幅状の連続開口部２６を開口形成可能とし、連続開口部２６の内方部に細幅状の連続支持領域２７を画成する。
連続支持領域用切り目２５は、開口部用切り目２２の始端２２Ａおよび終端２２Ｂにおいて開口部用切り目２２と連続しているとともに、開口部用切り目２２に連続して延びて連続開口部２６を開口形成可能である。
【００２７】
一対の連続支持領域用切り目２５それぞれには、連続支持領域２７と資材本体２１とをつなぐ連結点３５が設けてある。連結点３５の長さは０．５〜５ｍｍ程度であり、望ましくは１〜３ｍｍである。連結点３５は連続支持領域用切り目２５それぞれに一箇所ずつ設けても、複数箇所設けても良いが、図１および図２では連続支持領域用切り目２５と第２の折曲げ線３０の交点の、接続部２８寄りの位置に一箇所ずつ設けた例を示した。
【００２８】
連続支持領域用切り目２５の第１の終端２５Ａと第２の終端２５Ｂとの間は、切り目がない接続部２８になっている。
接続部２８は、連続支持領域２７さらには表示用自由揺動領域２４を資材本体２１に一体的に支持可能であり、資材本体２１の剛性により連続支持領域２７を介して表示用自由揺動領域２４を揺動可能に支持することになる。
【００２９】
次に、販促用首掛けシール２０を商品Ｍの首部Ｍ２に取付けて使用する方法について図２および図３を用いて説明する。
図２は、販促用首掛けシール２０を商品Ｍの取付け部（首部Ｍ２）に取付けた第１の表示状態を示す斜視図である。この表示状態にするためには、先ず、資材本体２１を第１の折曲げ線２９と第２の折曲げ線３０とで裏面２１Ｂ側を谷にして折り曲げる。続いて、表示用自由揺動領域２４および連続支持領域２７を第２の折り曲げ線３０まで、即ち、連結点３５の手前までを資材本体２１の面から引き起こす。すると、取付け用開口部２３と連続開口部２６が現れる。現れた取付け用開口部２３に首部Ｍ２を通して販促用首掛けシール２０を掛けると、表示用自由揺動領域２４が連続支持領域２７に支えられ、商品Ｍから立ち上がり、表示用自由揺動領域２４の表面２１Ａ側に記録された情報が商品Ｍから突き出て見え、第１の表示状態になる。図２では、新製品を表す「ＮＥＷ」という文字を目立たせた例である。
【００３０】
この状態で所定の期間が過ぎた後、表示内容を第２の表示状態へ切り替える作業を行う。連結点３５を破断し、表示用自由揺動領域２４および連続支持領域２７全体を資材本体２１の面から引き起こす。この状態で取付け用開口部２３に首部Ｍ２を通し、販促用首掛けシール２０を掛けると、図３に示すように、表示用自由揺動領域２４が連続支持領域２７により商品Ｍに対して離反した状態で、接続部２８を支点として片持ち式に支持されて揺動可能になる。
【００３１】
具体的には、表示用自由揺動領域２４が商品Ｍから離間してお辞儀をするように位置するとともに、風などにより揺れ、販促用シール４（図９参照）と同様の視認性および訴求効果を向上させることができる。この第２の表示状態では、表示用自由揺動領域２４の裏面２１Ｂに記録された「ＳＡＬＥ」の文字が現れて視認性が向上し、消費者の目にとまる表示内容が切り替えられる。即ち、一枚の商品情報表示用取付け資材２０でありながら複数の文字を切り替えて表示できることに加え、形状の変更もでき、高い販売促進効果を得ることが可能になる。
【００３２】
さらに商品Ｍの形状に応じて、第１の折曲げ線２９および第２の折曲げ線３０の部分において資材本体２１を折り曲げて、商品Ｍに合わせて取付け姿勢を安定化することができる。なお図２および図３に示した例では、資材本体２１を第１の折曲げ線２９と第２の折曲げ線３０で裏面２１Ｂを谷折りしてコの字形状に折り曲げたが、第１の折曲げ線２９を反対向きに折り曲げて階段状にし、取付けてても良い。
【００３３】
また、販促用首掛けシール２０は、商品Ｍに粘着剤で貼り付ける構成ではないため、剥がれてしまう恐れがなく、安定して取付けておくことができる。
販促用首掛けシール２０は、商品Ｍの首部Ｍ２以外にも任意の部分に取付け用開口部２３を利用して取付けることができる。
販促用首掛けシール２０の商品Ｍへの取付け作業は、取付け用開口部２３を商品Ｍの首部Ｍ２に掛けるだけであり、取付け作業も取外しの作業も作業性良好である。
さらに、販促用首掛けシール２０は、それ自体には開口部用切り目２２および連続支持領域用切り目２５を形成するだけであり、捨てる部分がないため、省資源かつ資源の無駄を回避可能である。
【００３４】
本発明による商品情報表示用取付け資材には、必要な商品情報をあらかじめ印刷しておくこともできるが、必要に応じて可変情報を資材本体２１や表示用自由揺動領域２４に印字することもできる。
【００３５】
図４に本発明の第２の実施例による販促用首掛けシール４０（商品情報表示用取付け資材）の平面図を示す。販促用首掛けシール４０は、既述の販促用首掛けシール２０（図１）と同様の構成を有している単葉の首掛けシール片４１（資材片）を複数枚連続して長尺帯状にしたものである。これを所定ピッチの切断予定線４２で切断することにより、単葉の首掛けシール片４１が形成される。
【００３６】
販促用首掛けシール４０の裏面側には、首掛けシール片４１一単位のピッチで位置検出マーク４３をあらかじめ印刷してあり、販促用首掛けシール４０をプリンタ（たとえば熱転写プリンタ４５、図５参照）に装填して印字する際の位置決めに用いる。位置検出マーク４３の隣接位置が切断予定線４２となる。連続支持領域用切り目２５それぞれには、連続支持領域２７と資材本体２１とをつなぐ連結点３５が設けてある。
【００３７】
なお、開口部用切り目２２の任意の部位に、所定数のもろい非連続部４４を形成しておいても良い。販促用首掛けシール４０の加工時や、熱転写プリンタ４５内における移送時に首掛けシール片４１における連続支持領域２７および表示用自由揺動領域２４が資材本体２１の面からめくれ上がってしまうなどの支障がないようにすることができる。
首掛けシール片４１の使用時に、このもろい非連続部４４を破いて表示用自由揺動領域２４および連続支持領域２７を資材本体２１から引き起こすことができる。
【００３８】
図５は、熱転写プリンタ４５の概略側面図であって、熱転写プリンタ４５は、販促用首掛けシール４０の供給部４６と、位置検出部４７と、印字部４８と、切断部４９と、を有する。
【００３９】
供給部４６は、ロール状に巻いた販促用首掛けシール４０を支持するとともに、位置検出部４７および印字部４８の方向に帯状に繰り出し可能とする。
【００４０】
位置検出部４７は、上記位置検出マーク４３を光学的に検出して印字部４８に対する販促用首掛けシール４０の相対的位置を検出可能とする。
【００４１】
印字部４８は、サーマルヘッド５０と、プラテンローラ５１と、熱転写インクリボン５２の供給軸５３および巻取り軸５４と、を有する。
サーマルヘッド５０およびプラテンローラ５１の間に販促用首掛けシール４０および熱転写インクリボン５２を挟持してプラテンローラ５１の回転駆動により移送し、サーマルヘッド５０により販促用首掛けシール４０に任意の商品情報を印字する。もちろん、販促用首掛けシール４０を表裏逆に移送するなどして、表示用自由揺動領域２４の裏面側にも任意の商品情報を表示可能である。
【００４２】
切断部４９は、帯状の販促用首掛けシール４０の切断予定線４２部分で切断し、単葉の首掛けシール片４１を作成する。
【００４３】
こうした構成の販促用首掛けシール４０および熱転写プリンタ４５によれば、商品Ｍの特性ないし販売状況など必要に応じて販促用首掛けシール４０（首掛けシール片４１）に商品情報（任意の可変情報）を印字することができる。連結点３５までを引き起こし、図２と同じように表示用自由揺動領域２４を上方に突き出した形状で商品Ｍに取り付ける。所定の期間が経過した後、連結点３５を切り離し、図３と同じように表示内容と形状を切り替えれば良い。熱転写プリンタで４５で情報を追記してあるため、さらなる販売促進効果を期待することができる。
【００４４】
図６は、本発明の第３の実施例による販促用首掛けシール６０の平面図である。販促用首掛けシール６０は、販促用首掛けシール４０（図４）と同様に、単葉の首掛けシール片４１（資材片）に相当する首掛けシール片６１（資材片）を複数枚連続してこれを帯状に形成している。ただし首掛けシール片６１は、それぞれの連続支持領域２７および表示用自由揺動領域２４が帯状の販促用首掛けシール６０の移送方向に沿って位置しているように（とくに連続支持領域２７の基部にあたる接続部２８が下流側に位置しているように）、互いに連続しているもので、その他の構成は販促用首掛けシール４０における首掛けシール４１と同様である。連続支持領域２７両側の連続支持領域用切り目２５には、連続支持領域２７と資材本体２１とをつなぐ連結点３５が設けてある。
【００４５】
こうした構成の販促用首掛けシール６０についても、販促用首掛けシール４０と同様に、熱転写プリンタ４５などに装填して必要な可変情報を印字可能である。印字を終えて切断予定線４２部分で切断し、単葉の首掛けシール片４１とした後は、表示用自由揺動領域２４から連結点３５までを引き起こし、図２と同じように表示用自由揺動領域２４を上方に突き出した形状で商品Ｍに取り付ける。所定の期間が経過した後、連結点３５を切り離し、図３と同じように表示内容と形状を切り替えれば良い。
【００４６】
図７に第４の実施例を示す。これは、図１、図２および図３を用いて説明した第１の実施例の販促用首掛けシールに連結点３６を加えたものである。連結点３６は、取付け用開口部２３と連続支持領域用切り目２５との接続箇所に位置している。
【００４７】
この第４の実施例では、最初に表示用自由揺動領域２４だけを連結点３６位置を支点として引き起こし、図７に示すように商品Ｍに取り付ける。この状態では表示用自由揺動領域２４だけが立ち上がった状態になり、資材本体の表面２１Ａ側に印刷された新製品を表す「ＮＥＷ」と言う文字が見えるようになる。日数が経過してこの状態が見慣れてしまった頃、連結点３６を切り離して表示用自由揺動領域２４および連続支持領域２７を連結点３５の手前までを引き起こす。すると、図２に示した、表示用自由揺動領域２４が連続支持領域２７に支えられ、商品Ｍから立ち上がった第１の表示状態になる。表示用自由揺動領域２４の文字は「ＮＥＷ」のままであるが、その文字は商品Ｍから突き出て見えるため、図７に示した取付けとは見え方が異なり、消費者に新鮮な印象を与える。
【００４８】
再度、期間が経過した後は、表示内容を第２の表示状態へ切り替える作業を行う。今度は連結点３５を破断し、表示用自由揺動領域２４および連続支持領域２７全体を資材本体２１の面から引き起こし、図３に示した第２の表示状態にすれば良い。このように第４の実施例では、一枚の商品情報表示用取付け資材２０でありながら文字を二種類表示できることに加え、形状も二回切り替えて合計三通りの形状で使用可能であり、高い販売促進効果を得ることができる。
【符号の説明】
【００４９】
１  販促用シール（従来例、図８）
２  貼付け領域
３  情報表示領域
４  販促用シール（従来例、図９）
５  貼付け領域
６  連続支持領域
７  情報表示領域
８  販促用シール（従来例、図１０）
９  首掛け用開口部
１０  情報表示領域
２０  販促用首掛けシール（第１の実施例、商品情報表示用取付け資材、図１）
２１  資材本体
２１Ａ  資材本体表面
２１Ｂ  資材本体裏面
２２  開口部用切り目
２２Ａ  開口部用切り目２２の始端
２２Ｂ  開口部用切り目２２の終端
２３  取付け用開口部
２４  表示用自由揺動領域
２５  連続支持領域用切り目
２５Ａ  連続支持領域用切り目２５の第１の終端
２５Ｂ  連続支持領域用切り目２５の第２の終端
２６  連続開口部
２７  連続支持領域
２８  接続部
２９  第１の折曲げ線
３０  第２の折曲げ線
３５  連結点
３６  連結点
４０  販促用首掛けシール（第２の実施例、商品情報表示用取付け資材、図４）
４１  首掛けシール片（資材片、商品情報表示用取付け資材）
４２  切断予定線
４３  位置検出マーク
４４  もろい非連続部
４５  熱転写プリンタ
４６  供給部
４７  位置検出部
４８  印字部
４９  切断部
５０  サーマルヘッド
５１  プラテンローラ
５２  熱転写インクリボン
５３  熱転写インクリボン５２の供給軸
５４  熱転写インクリボン５２の巻取り軸
６０  販促用首掛けシール（第３の実施例、商品情報表示用取付け資材、図６）
６１  首掛けシール片（資材片、商品情報表示用取付け資材）
Ｍ    商品
Ｍ１  商品Ｍの胴体
Ｍ２  商品Ｍの首部
【図１】
0005718755.tif 000002
【図２】
0005718755.tif 000003
【図３】
0005718755.tif 000004
【図４】
0005718755.tif 000005
【図５】
0005718755.tif 000006
【図６】
0005718755.tif 000007
【図７】
0005718755.tif 000008
【図８】
0005718755.tif 000009
【図９】
0005718755.tif 000010
【図１０】
0005718755.tif 000011